(57)【要約】      （修正有）【課題】全系が小型で高ズーム比でありながら、可視光から近赤外光までの広い波長領域における色収差が良好に補正されたズームレンズを提供する。【解決手段】物体側より像側へ順に配置された、正の屈折力の第１レンズ群Ｌ１、負の屈折力の第２レンズ群Ｌ２、開口絞りＳＰ、回折光学素子ＤＯＥを含む正の屈折力のレンズ群ＬＤＢを有する後群から成り、ズーミングに際して、前記第１レンズ群Ｌ１は不動で、隣り合うレンズ群の間隔が変化し、前記回折光学素子の回折面の焦点距離をｆＤＯＥ、前記レンズ群ＬＤＢの焦点距離をｆＤＢ、前記第１レンズ群の焦点距離をｆ１を各々適切に設定する。【選択図】図１
2019086607.tif 000002
【特許請求の範囲】
【請求項１】
物体側より像側へ順に配置された、正の屈折力の第１レンズ群、負の屈折力の第２レンズ群、開口絞り、回折光学素子を含む正の屈折力のレンズ群ＬＤＢを有する後群から成り、
ズーミングに際して、前記第１レンズ群は不動で、隣り合うレンズ群の間隔が変化し、
前記回折光学素子の回折面の焦点距離をｆＤＯＥ、前記レンズ群ＬＤＢの焦点距離をｆＤＢ、前記第１レンズ群の焦点距離をｆ１とするとき、
５０．０＜ｆＤＯＥ／ｆＤＢ＜５００．０
３．０＜ｆ１／ｆＤＢ＜１０．０
なる条件式を満足することを特徴とするズームレンズ。
【請求項２】
ズーミングに際して、前記レンズ群ＬＤＢは移動し、広角端から望遠端へのズーミングにおける前記レンズ群ＬＤＢの移動量をＤＢｓｔｒ、レンズ全長をＴＬとするとき、
０．０５＜ＤＢｓｔｒ／ＴＬ＜０．４０
なる条件式を満足することを特徴とする請求項１に記載のズームレンズ。
【請求項３】
広角端における全系の焦点距離をｆｗとするとき、
２．０＜ｆＤＢ／ｆｗ＜５．０
なる条件式を満足することを特徴とする請求項１または２に記載のズームレンズ。
【請求項４】
前記第２レンズ群の焦点距離をｆ２とするとき、
４．０＜｜ｆ１／ｆ２｜＜１０．０
なる条件式を満足することを特徴とする請求項１乃至３のいずれか１項に記載のズームレンズ。
【請求項５】
前記レンズ群ＬＤＢは、１枚の正レンズと１枚の負レンズとを接合した接合レンズを有し、前記接合レンズの接合面に、前記回折面が形状されていることを特徴とする請求項１乃至４のいずれか１項に記載のズームレンズ。
【請求項６】
前記接合レンズに含まれる正レンズの材料のｄ線における屈折率をＮｄｐ、前記接合レンズに含まれる負レンズの材料のｄ線における屈折率をＮｄｎとするとき、
１．２＜（Ｎｄｎ−１）／（Ｎｄｐ−１）＜３．０
０．２＜Ｎｄｎ−Ｎｄｐ＜１．０
なる条件式を満足することを特徴とする請求項５に記載のズームレンズ。
【請求項７】
前記接合レンズに含まれる正レンズの材料のアッベ数をνｄｐ、前記接合レンズに含まれる負レンズの材料のアッベ数をνｄｎとするとき、
１．５＜νｄｐ／νｄｎ＜５．０
なる条件式を満足することを特徴とする請求項５または６に記載のズームレンズ。
【請求項８】
前記開口絞りは、ズーミングに際して不動であることを特徴とする請求項１乃至７のいずれか１項に記載のズームレンズ。
【請求項９】
前記第２レンズ群は、広角端から望遠端へのズーミングに際し像側へ移動し、前記レンズ群ＬＤＢは、広角端から望遠端へのズーミングに際し物体側へ移動することを特徴とする請求項１乃至８のいずれか１項に記載のズームレンズ。
【請求項１０】
広角端から望遠端へズーミングにおける前記第２レンズ群の移動量をＢ２ｓｔｒ、広角端から望遠端へのズーミングにおける前記レンズ群ＬＤＢの移動量をＤＢｓｔｒとするとき、
０．１０＜ＤＢｓｔｒ／Ｂ２ｓｔｒ＜０．８０
なる条件式を満足することを特徴とする請求項１乃至９のいずれか１項に記載のズームレンズ。
【請求項１１】
前記第１レンズ群は１枚の正レンズから構成されることを特徴とする請求項１乃至１０のいずれか１項に記載のズームレンズ。
【請求項１２】
前記第１レンズ群は１枚の正レンズと１枚の負レンズを接合した接合レンズから構成されることを特徴とする請求項１乃至１０のいずれか１項に記載のズームレンズ。
【請求項１３】
前記第２レンズ群は物体側から像側へ順に配置された負レンズ、負レンズ、正レンズと負レンズを接合した接合レンズから構成されることを特徴とする請求項１乃至１２のいずれか１項に記載のズームレンズ。
【請求項１４】
前記第２レンズ群は物体側から像側へ順に配置された負レンズ、負レンズ、正レンズから構成されることを特徴とする請求項１乃至１２のいずれか１項に記載のズームレンズ。
【請求項１５】
前記後群は、正の屈折力の第３レンズ群から成ることを特徴とする請求項１乃至１４のいずれか１項に記載のズームレンズ。
【請求項１６】
請求項１乃至１５のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズに関し、例えばデジタルカメラ、ビデオカメラ、放送用カメラ、監視用カメラなどの撮像装置に用いられる撮像光学系として好適なものである。
【背景技術】
【０００２】
撮像装置に用いられるズームレンズは、広画角で全系が小型で、しかも高ズーム比であることが求められている。さらに、全ズーム範囲にわたり高い光学性能を有すること等が要望されている。全系が小型で高ズーム比のズームレンズとして、最も物体側に正の屈折力のレンズ群を配置したポジティブリード型のズームレンズが知られている（特許文献１）。
【０００３】
特許文献１では物体側から像側へ順に配置された、正の屈折力の第１レンズ群、負の屈折力の第２レンズ群、正の屈折力の第３レンズ群より構成される３群ズームレンズを開示している。また、特許文献１ではズーミングに際して第１レンズ群が不動で、第２レンズ群と第３レンズ群が互いに異なった軌跡で移動する３群ズームレンズを開示している。
【０００４】
特許文献２では物体側から像側へ順に配置された、正の屈折力の第１レンズ群、負の屈折力の第２レンズ群、正の屈折力の第３レンズ群より構成される３群ズームレンズを開示している。特許文献２では軸上色収差や倍率色収差等の色収差の発生を低減するために第３レンズ群中に回折光学素子を用いたズームレンズを開示している。
【先行技術文献】
【特許文献】
【０００５】
【特許文献１】特開２００２−１３１６４０号公報
【特許文献２】特開２０００−２２１４０１号公報
【発明の概要】
【発明が解決しようとする課題】
【０００６】
ポジティブリード型のズームレンズにおいて、回折光学素子を用いると全系の小型化を図りつつ、高ズーム比と高い光学性能を得るのが容易になる。しかしながら、これらの効果を得るにはズームタイプや回折光学素子を配置するレンズ群、回折光学素子のパワー（焦点距離の逆数）、各レンズ群の屈折力やレンズ構成等を適切に設定することが重要になってくる。
【０００７】
また、特に監視カメラにおいては夜間などの光量が少ない状況においても被写体を明るく鮮明に撮影する必要がある。このため、波長８５０ｎｍ乃至波長９４０ｎｍなどの近赤外光を被写体に照射し、その反射光を取り入れて撮影する場合がある。そのため、ズームレンズはズーム全域で可視光から近赤外光までの広い波長領域において色収差が良好に補正されている必要がある。
【０００８】
特許文献１のズームレンズは樹脂製の非球面レンズを用いて全系の小型化を図っているが、可視光から近赤外光までの広い波長域において色収差が良好に補正されていない。
【０００９】
特許文献２のレンズ光学系は回折光学素子を用いて全系の小型化を図りつつ色収差を補正したズームレンズを開示しているが、可視域から近赤外光までの広い波長域において色収差を良好に補正されていない。
【００１０】
本発明は、全系が小型で高ズーム比でありながら、可視光から近赤外光までの広い波長領域における色収差が良好に補正されたズームレンズ及びそれを有する撮像装置の提供を目的とする。
【課題を解決するための手段】
【００１１】
本発明のズームレンズは、物体側より像側へ順に配置された、正の屈折力の第１レンズ群、負の屈折力の第２レンズ群、開口絞り、回折光学素子を含む正の屈折力のレンズ群ＬＤＢを有する後群から成り、
ズーミングに際して、前記第１レンズ群は不動で、隣り合うレンズ群の間隔が変化し、
前記回折光学素子の回折面の焦点距離をｆＤＯＥ、前記レンズ群ＬＤＢの焦点距離をｆＤＢ、前記第１レンズ群の焦点距離をｆ１とするとき、
５０．０＜ｆＤＯＥ／ｆＤＢ＜５００．０
３．０＜ｆ１／ｆＤＢ＜１０．０
なる条件式を満足することを特徴としている。
【発明の効果】
【００１２】
本発明によれば、全系が小型で高ズーム比でありながら、可視光から近赤外光までの広い波長領域における色収差が良好に補正されたズームレンズが得られる。
【図面の簡単な説明】
【００１３】
【図１】実施例１のズームレンズの広角端におけるレンズ断面図
【図２】（Ａ）、（Ｂ）、（Ｃ）  実施例１のズームレンズの広角端、中間のズーム位置、望遠端における縦収差図
【図３】実施例２のズームレンズの広角端におけるレンズ断面図
【図４】（Ａ）、（Ｂ）、（Ｃ）  実施例２のズームレンズの広角端、中間のズーム位置、望遠端における縦収差図
【図５】実施例３のズームレンズの広角端におけるレンズ断面図
【図６】（Ａ）、（Ｂ）、（Ｃ）  実施例３のズームレンズの広角端、中間のズーム位置、望遠端における縦収差図
【図７】実施例４のズームレンズの広角端におけるレンズ断面図
【図８】（Ａ）、（Ｂ）、（Ｃ）  実施例４のズームレンズの広角端、中間のズーム位置、望遠端における縦収差図
【図９】実施例５のズームレンズの広角端におけるレンズ断面図
【図１０】（Ａ）、（Ｂ）、（Ｃ）  実施例５のズームレンズの広角端、中間のズーム位置、望遠端における縦収差図
【図１１】実施例６のズームレンズの広角端におけるレンズ断面図
【図１２】（Ａ）、（Ｂ）、（Ｃ）  実施例６のズームレンズの広角端、中間のズーム位置、望遠端における縦収差図
【図１３】実施例７のズームレンズの広角端におけるレンズ断面図
【図１４】（Ａ）、（Ｂ）、（Ｃ）  実施例７のズームレンズの広角端、中間のズーム位置、望遠端における縦収差図
【図１５】実施例８のズームレンズの広角端におけるレンズ断面図
【図１６】（Ａ）、（Ｂ）、（Ｃ）  実施例８のズームレンズの広角端、中間のズーム位置、望遠端における縦収差図
【図１７】本発明の撮像装置の要部概略図
【発明を実施するための形態】
【００１４】
以下、図面を用いて本発明のズームレンズ及びそれを有する撮像装置の実施例について説明する。本発明の実施例に係るズームレンズは、物体側より像側へ順に配置された、正の屈折力の第１レンズ群、負の屈折力の第２レンズ群、開口絞り、正の屈折力のレンズ群を１つ以上有する後群から成っている。ズーミングに際して第１レンズ群は不動で、ズーミングに際して隣り合うレンズ群の間隔が変化する。開口絞りより像側に配置される、少なくとも１つの正の屈折力のレンズ群ＬＤＢは回折光学素子を含んでいる。
【００１５】
図１は本発明の実施例１の広角端（短焦点距離端）で、無限遠物体に合焦しているときのレンズ断面図である。図２（Ａ）、（Ｂ）、（Ｃ）は、実施例１の広角端、中間のズーム位置、望遠端（長焦点距離端）における無限遠物体に合焦しているときの縦収差図である。実施例１はズーム比５．２５、Ｆナンバー１．４４〜２．５０のズームレンズである。
【００１６】
図３は本発明の実施例２の広角端で、無限遠物体に合焦しているときのレンズ断面図である。図４（Ａ）、（Ｂ）、（Ｃ）は、実施例２の広角端、中間のズーム位置、望遠端における無限遠物体に合焦しているときの縦収差図である。実施例２はズーム比５．２０、Ｆナンバー１．４４〜２．５７のズームレンズである。
【００１７】
図５は本発明の実施例３の広角端で、無限遠物体に合焦しているときのレンズ断面図である。図６（Ａ）、（Ｂ）、（Ｃ）は、実施例３の広角端、中間のズーム位置、望遠端における無限遠物体に合焦しているときの縦収差図である。実施例３はズーム比５．０８、Ｆナンバー１．４４〜２．４４のズームレンズである。
【００１８】
図７は本発明の実施例４の広角端で、無限遠物体に合焦しているときのレンズ断面図である。図８（Ａ）、（Ｂ）、（Ｃ）は、実施例４の広角端、中間のズーム位置、望遠端における無限遠物体に合焦しているときの縦収差図である。実施例４はズーム比５．０８、Ｆナンバー１．４４〜２．４２のズームレンズである。
【００１９】
図９は本発明の実施例５の広角端で、無限遠物体に合焦しているときのレンズ断面図である。図１０（Ａ）、（Ｂ）、（Ｃ）は、実施例５の広角端、中間のズーム位置、望遠端における無限遠物体に合焦しているときの縦収差図である。実施例５はズーム比５．０８、Ｆナンバー１．４４〜２．４６のズームレンズである。図１１は本発明の撮像装置の要部概略図である。
【００２０】
図１１は本発明の実施例６の広角端で、無限遠物体に合焦しているときのレンズ断面図である。図１２（Ａ）、（Ｂ）、（Ｃ）は、実施例６の広角端、中間のズーム位置、望遠端における無限遠物体に合焦しているときの縦収差図である。実施例６はズーム比５．０８、Ｆナンバー１．４４〜２．４４のズームレンズである。図１１は本発明の撮像装置の要部概略図である。
【００２１】
図１３は本発明の実施例７の広角端で、無限遠物体に合焦しているときのレンズ断面図である。図１４（Ａ）、（Ｂ）、（Ｃ）は、実施例７の広角端、中間のズーム位置、望遠端における無限遠物体に合焦しているときの縦収差図である。実施例７はズーム比５．０８、Ｆナンバー１．４４〜２．４９のズームレンズである。図１１は本発明の撮像装置の要部概略図である。
【００２２】
図１５は本発明の実施例８の広角端で、無限遠物体に合焦しているときのレンズ断面図である。図１６（Ａ）、（Ｂ）、（Ｃ）は、実施例８の広角端、中間のズーム位置、望遠端における無限遠物体に合焦しているときの縦収差図である。実施例６はズーム比５．０８、Ｆナンバー１．４４〜２．５０のズームレンズである。
図１７は本発明の撮像装置の要部概略図である。
【００２３】
本発明の実施例のズームレンズはデジタルカメラやビデオカメラ、放送用カメラ、監視用カメラなどの撮像装置に用いられるズームレンズである。尚、本発明の実施例のズームレンズは投射装置（プロジェクタ）用の投射光学系として用いることもできる。
【００２４】
レンズ断面図において、左方が物体側（前方）で、右方が像側（後方）である。また、レンズ断面図において、Ｌ０はズームレンズである。ｉを物体側からのレンズ群の順番とすると、Ｌｉは第ｉレンズ群を示す。ＬＲは１つ以上のレンズ群を含む後群である。ＳＰは開口絞りである。ＧＢは光学フィルター、フェースプレート、ローパスフィルター、赤外カットフィルターなどに相当する光学ブロックである。Ｌｄｏｅは回折光学素子である。
【００２５】
ＩＰは像面である。像面ＩＰは、デジタルカメラやビデオカメラなどの撮像装置としてズームレンズを使用する際には、ＣＣＤセンサやＣＭＯＳセンサなどの固体撮像素子（光電変換素子）の撮像面に相当する。矢印は広角端から望遠端へのズーミングに際して、各レンズ群の移動軌跡を示している。
【００２６】
広角端から望遠端へのズーミングに際して第２レンズ群Ｌ２は像側に凸状の軌跡を描いて移動し、第３レンズ群Ｌ３は物体側へ移動する。ズーミングに際して第１レンズ群Ｌ１は不動である。
【００２７】
各実施例では第２レンズ群Ｌ２を移動させて変倍に伴う像面変動を補正すると共に、フォーカシングを行っている。第２レンズ群Ｌ２に関する実線の曲線２ａと点線の曲線２ｂは、各々無限遠と近距離にフォーカスしているときの変倍に伴う像面変動を補正するための移動軌跡である。また無限遠から近距離へのフォーカスは矢印２ｃに示す如く第２レンズ群Ｌ２を物体側へ繰り出すことによって行っている。
【００２８】
球面収差図においてＦｎｏはＦナンバーである。また実線のｄはｄ線（波長５８７．５６ｎｍ）、二点鎖線のｇはｇ線（波長４３５．８４ｎｍ）、一点鎖線は波長８５０ｎｍを示している。非点収差図、歪曲収差、倍率色収差図においてωは撮像半画角（度）である。非点収差図において実線のＳはｄ線におけるサジタル像面、点線のＭはメリディオナル像面である。歪曲収差はｄ線について示している。倍率色収差図についてはｄ線に対するｇ線と波長８５０ｎｍの収差を示している。
【００２９】
本発明の実施例のズームレンズは、広い撮像画角を有しながら高ズーム比を確保し、諸収差を良好に補正するために、次のレンズ構成よりなっている。
【００３０】
物体側から像側へ順に配置された、正の屈折力の第１レンズ群Ｌ１、負の屈折力の第２レンズ群Ｌ２、開口絞りＳＰ、１つ以上の正の屈折力のレンズ群を有する後群ＬＲから構成している。
【００３１】
更に、後群ＬＲに含まれる正の屈折力のレンズ群ＬＤＢは、回折光学素子Ｌｄｏｅを有している。回折光学素子Ｌｄｏｅは正レンズと負レンズを接合し、接合面に回折面ＤＯＥを形成して構成されている。
【００３２】
広角端における軸上色収差と倍率色収差を良好に補正するため、広角端において軸上マージナル光線の入射高さの高い、開口絞りＳＰより像側にあるレンズ群ＬＤＥに回折光学素子Ｌｄｏｅを含む構成としている。これにより可視光から近赤外光の波長領域までの色収差を良好に補正している。
【００３３】
回折光学素子Ｌｄｏｅを使わない場合、広角端において色収差を補正するためには、各レンズ群の屈折力を弱めるとともに、開口絞りＳＰより像側にある正の屈折力のレンズ群ＬＤＢに、異常分散性の高い材料よりなるレンズを用いる必要がある。
【００３４】
各レンズ群の屈折力が弱くなると、所望のズーム比を得るためには、広角端から望遠端へのズーミングに際しレンズ群の移動量が大きくなり、レンズ全長が長くなってしまう。一方、異常分散性の高い材料は、屈折率が低い傾向となるため、所望の屈折力を得るためにはレンズ厚が増大してしまい、レンズ全長が長くなってしまう。
【００３５】
特に広角端における軸上色収差の補正のためには、軸上マージナル光線の入射高さが高くなる開口絞りＳＰより像側にある正の屈折力のレンズ群のうち、最も物体側にあるレンズ群に、異常分散性の高い材料よりなるレンズを用いると効果的である。
【００３６】
本発明の実施例のズームレンズにおいて、第１レンズ群Ｌ１はズーミングに際し、不動とすることで装置全体を簡素化して装置全体の小型化を図っている。開口絞りＳＰは、第２レンズ群Ｌ２の像側に配置し、開口絞りＳＰと第２レンズ群Ｌ２の間には、他の光学素子は配置しない構成としている。
【００３７】
このような構成とすることで、最も物体側のレンズ面から、開口絞りＳＰまでの距離を必要最小限にして第１レンズ群Ｌ１の有効径の小径化を図っている。
【００３８】
また各実施例では、回折光学素子Ｌｄｏｅの回折面ＤＯＥの焦点距離をｆＤＯＥ、レンズ群ＬＤＢの焦点距離をｆＤＢ、第１レンズ群Ｌ１の焦点距離をｆ１とする。このとき、
５０．０＜ｆＤＯＥ／ｆＤＢ＜５００．０      ・・・（１）
３．０＜ｆ１／ｆＤＢ＜１０．０              ・・・（２）
なる条件式を満足する。
【００３９】
各実施例では、条件式（１）と条件式（２）を満足することにより、全系が小型でかつ広い撮像画角を有しながら、高ズーム比であり、可視光から近赤外光までの波長領域における色収差が良好に補正されたズームレンズを実現している。
【００４０】
次に前述の各条件式の技術的意味について説明する。
条件式（１）は回折光学素子Ｌｄｏｅの回折面（回折光学面）ＤＯＥのみの焦点距離と、回折光学素子Ｌｄｏｅを有するレンズ群ＬＤＢの焦点距離との比を規定している。条件式（１）を満たすことで、特に広角端における、色収差の補正と、設計波長における非点収差や像面湾曲等の諸収差を補正し、良好な光学性能を得ている。
【００４１】
各実施例では、設計波長を、可視光の代表波長として、ｄ線としている。条件式（１）の下限値を超えて回折面ＤＯＥの焦点距離ｆＤＯＥが短くなると、回折面ＤＯＥの正の屈折力が強くなりすぎる。その結果、広角端の領域で回折面ＤＯＥでの設計波長における非点収差や像面湾曲が増大するため好ましくない。条件式（１）の上限値を越えて回折面ＤＯＥの焦点距離ｆＤＯＥが長くなると、回折面ＤＯＥの正の屈折力が弱くなりすぎる。その結果、回折面ＤＯＥでの可視光から近赤外光までの波長領域に対する色収差が補正不足となるため好ましくない。
【００４２】
条件式（２）は第１レンズ群Ｌ１の焦点距離と、回折光学素子Ｌｄｏｅを有するレンズ群ＬＤＢの焦点距離との比を規定したものである。条件式（２）を満たすことで、全系の小型化を図りつつ良好な光学性能を得ている。条件式（２）の下限値を超えて第１レンズ群Ｌ１の焦点距離ｆ１が短くなると、第１レンズ群Ｌ１の正の屈折力が強くなりすぎる。その結果、広角端の領域で第１レンズ群Ｌ１において歪曲収差が多く発生し、更にズーミングに際して像面湾曲の変動が増大するため好ましくない。
【００４３】
条件式（２）の上限値を越えて回折光学素子Ｌｄｏｅを有するレンズ群ＬＤＢの焦点距離ｆＤＢが短くなると、回折光学素子Ｌｄｏｅを有するレンズ群ＬＤＢの正の屈折力が強くなりすぎる。その結果、広角端の領域で回折光学素子Ｌｄｏｅを有するレンズ群ＬＤＢにおいて非点収差や像面湾曲が増大するため好ましくない。
【００４４】
各実施例では上記の如く、条件式（１）、（２）を満足するように各要素を適切に設定している。これにより、全系が小型でかつ広い撮像画角を有しながら、高ズーム比であり、可視光から近赤外光までの波長領域における色収差が良好に補正されたズームレンズを得ている。
【００４５】
なお、好ましくは条件式（１）、（２）の数値範囲を次のようにするのがよい。
６０．０＜ｆＤＯＥ／ｆＤＢ＜３００．０    ・・・（１ａ）
３．５＜ｆ１／ｆＤＢ＜７．０              ・・・（２ａ）
また、更に、好ましくは条件式（１）、（２）の数値範囲を次のようにするのがよい。
７０．０＜ｆＤＯＥ／ｆＤＢ＜１５０．０    ・・・（１ｂ）
４．０＜ｆ１／ｆＤＢ＜５．５              ・・・（２ｂ）
【００４６】
各実施例において、更に好ましくは、次の諸条件のうち、１つ以上を満足するのが良い。ズーミングに際して、レンズ群ＬＤＢは移動し、広角端から望遠端へのズーミングにおけるレンズ群ＬＤＢの移動量をＤＢｓｔｒとする。ここでレンズ群の移動量とは、広角端における光軸上の位置と望遠端における光軸上の位置の差に相当し、移動量の符号は広角端に比べて望遠端においてレンズ群が像側に位置するときを正、物体側に位置するときを負とする。
【００４７】
レンズ全長をＴＬとする。ここでレンズ全長とは第１レンズ面から最終レンズ面までの距離に空気換算でのバックフォーカスを加えた値である。広角端における全系の焦点距離をｆｗとする。第２レンズ群Ｌ２の焦点距離をｆ２とする。
【００４８】
レンズ群ＬＤＢは、１枚の正レンズと１枚の負レンズとを接合した接合レンズ（回折光学素子Ｌｄｏｅ）を有し、接合レンズの接合面に、回折面ＤＯＥが形状されている。接合レンズに含まれる正レンズの材料のｄ線における屈折率をＮｄｐ、接合レンズに含まれる負レンズの材料のｄ線における屈折率をＮｄｎとする。接合レンズに含まれる正レンズの材料のアッベ数をνｄｐ、接合レンズに含まれる負レンズの材料のアッベ数をνｄｎとする。広角端から望遠端へズーミングにおける第２レンズ群Ｌ２の移動量をＢ２ｓｔｒとする。
【００４９】
このとき次の条件式のうち１つ以上を満足するのが良い。
０．０５＜ＤＢｓｔｒ／ＴＬ＜０．４０            ・・・（３）
２．０＜ｆＤＢ／ｆｗ＜５．０                    ・・・（４）
４．０＜｜ｆ１／ｆ２｜＜１０．０                ・・・（５）
１．２＜（Ｎｄｎ−１）／（Ｎｄｐ−１）＜３．０  ・・・（６）
０．２＜Ｎｄｎ−Ｎｄｐ＜１．０                  ・・・（７）
１．５＜νｄｐ／νｄｎ＜５．０                  ・・・（８）
０．１０＜ＤＢｓｔｒ／Ｂ２ｓｔｒ＜０．８０      ・・・（９）
【００５０】
次の前述の各条件式の技術的意味について説明する。条件式（３）は、回折光学素子Ｌｄｏｅを含むレンズ群ＬＤＢの広角端より望遠端へのズーミングにおける移動量とレンズ全長との比を規定している。条件式（３）の下限値を超えて回折光学素子Ｌｄｏｅを含むレンズ群ＬＤＢの移動量が少なくなると、所望のズーム比を得るにあたり、レンズ群ＬＤＢの屈折力が過剰に強くなる。その結果、広角端において球面収差や像面湾曲が増大するため好ましくない。
【００５１】
条件式（３）の上限値を超えて回折光学素子Ｌｄｏｅを含むレンズ群ＬＤＢの移動量が大きくなると、レンズ全長に対する開口絞りＳＰより像側の領域が大きくなり、レンズ全長が長大化するため好ましくない。
【００５２】
条件式（４）は、回折光学素子Ｌｄｏｅを含むレンズ群ＬＤＢの焦点距離と広角端における全系の焦点距離との比を規定している。条件式（４）の下限値を超えて回折光学素子Ｌｄｏｅを含むレンズ群ＬＤＢの焦点距離が短くなると、回折光学素子Ｌｄｏｅを有するレンズ群ＬＤＢの正の屈折力が強くなりすぎる。その結果、広角端の領域で回折光学素子Ｌｄｏｅを有するレンズ群ＬＤＢにおいて非点収差や像面湾曲の発生が増大するため好ましくない。
【００５３】
条件式（４）の上限値を超えて回折光学素子Ｌｄｏｅを含むレンズ群ＬＤＢの焦点距離が長くなると、回折光学素子Ｌｄｏｅを有するレンズ群ＬＤＢの屈折力が弱くなりすぎる。その結果、開口絞りＳＰから像側のレンズ群ＬＤＢの屈折力が低下するため、開口絞りＳＰより撮像面までの距離が長大化するため好ましくない。
【００５４】
条件式（５）は、第１レンズ群Ｌ１の焦点距離と第２レンズ群Ｌ２の焦点距離との比を規定したものである。条件式（５）の下限値を超えて第１レンズ群Ｌ１の焦点距離が短くなると、第１レンズ群Ｌ１の屈折力が強くなりすぎる。その結果、望遠端の領域で第１レンズ群Ｌ１において非点収差や像面湾曲の発生が増大するため好ましくない。条件式（５）の上限値を超えて第２レンズ群Ｌ２の負の焦点距離が短くなると（負の焦点距離の絶対値が小さくなると）、第２レンズ群Ｌ２の負の屈折力が強くなりすぎる。その結果、ズーミングに際して像面湾曲や非点収差の変動が増大するため好ましくない。
【００５５】
条件式（６）は、回折面ＤＯＥを有する接合レンズ（回折光学素子Ｌｄｏｅ）を構成している、正レンズの材料のｄ線における屈折率と、負レンズの材料のｄ線における屈折率との比を規定している。条件式（６）の下限値を超えて負レンズの材料のｄ線における屈折率が小さくなると、回折面ＤＯＥを有する接合レンズが所望の屈折力を維持するために、負レンズのレンズ面の曲率が強くなりすぎる。その結果、接合レンズにて広角端の領域における非点収差が増大するため好ましくない。
【００５６】
条件式（６）の上限値を超えて正レンズの材料のｄ線における屈折率が小さくなると、回折面ＤＯＥを有する接合レンズが所望の屈折力を維持するために、正レンズのレンズ面の曲率が強くなりすぎる。その結果、接合レンズにて広角端の領域における球面収差や像面湾曲が増大するため好ましくない。
【００５７】
条件式（７）は、レンズ群ＬＤＢに含まれる接合レンズ（回折光学素子Ｌｄｏｅ）を構成している、正レンズの材料のｄ線における屈折率と、負レンズの材料のｄ線における屈折率との差を規定している。条件式（７）の下限値を超えて、両レンズの材料の屈折率の差が小さくなると、回折面ＤＯＥを有する接合レンズが所望の屈折力を維持するために、正レンズのレンズ面は曲率が弱く、負レンズのレンズ面は曲率が強くなりすぎる。その結果、全系のペッツバール和が負となる傾向が強まり、非点収差や像面湾曲が増大するため好ましくない。
【００５８】
条件式（７）の上限値を超えて、両レンズの材料の屈折率の差が大きくなると、接合レンズの、接合レンズ面の前後の屈折率差が大きくなり、接合レンズ面が持つ屈折力が増大する。その結果、接合レンズ面での、設計波長における非点収差や像面湾曲の補正が過剰となり、可視光から近赤外光までの波長領域に対する色収差の補正が困難となるため好ましくない。
【００５９】
条件式（８）は、レンズ群ＬＤＢに含まれる接合レンズ（回折光学素子Ｌｄｏｅ）を構成している、正レンズの材料のアッベ数と、負レンズの材料のアッベ数との比を規定している。条件式（８）の下限値を超えて、両レンズの材料のアッベ数の比が小さくなると、接合レンズの色収差の補正効果が弱まるため、可視光から近赤外光までの波長領域に対する色収差が補正不足となり、好ましくない。条件式（８）の上限値を超えて、両レンズの材料のアッベ数の比が大きくなると、接合レンズの色収差の補正が過剰に強くなり、回折面ＤＯＥによる色収差の補正とのバランスを保つことが困難となり、好ましくない。
【００６０】
条件式（９）は、広角端から望遠端へズーミングする際の、回折光学素子Ｌｄｏｅを含むレンズ群ＬＤＢの移動量と、第２レンズ群Ｌ２の移動量との比を規定している。条件式（９）の下限値を超えて、第２レンズ群Ｌ２の移動量が大きくなると、第１レンズ群Ｌ１の最も物体側のレンズ面から、開口絞りＳＰまでの距離が、過剰に長くなってしまい、第１レンズ群Ｌ１のレンズ外径が増大してしまい、好ましくない。
【００６１】
条件式（９）の上限値を超えて、回折光学素子Ｌｄｏｅを含むレンズ群ＬＤＢの移動量が大きくなると、広角端から望遠端へのズーミングに際して発生する、設計波長における球面収差の変動や、可視光から近赤外光までの色収差の変動が増大してしまう。そのため好ましくない。
【００６２】
なお、各実施例において、好ましくは条件式（３）乃至（９）の数値範囲を次のようにするのがよい。
０．０７＜ＤＢｓｔｒ／ＴＬ＜０．２０            ・・・（３ａ）
２．５＜ｆＤＢ／ｆｗ＜４．０                    ・・・（４ａ）
５．０＜｜ｆ１／ｆ２｜＜８．０                  ・・・（５ａ）
１．５＜（Ｎｄｎ−１）／（Ｎｄｐ−１）＜２．５  ・・・（６ａ）
０．３＜Ｎｄｎ−Ｎｄｐ＜０．８                  ・・・（７ａ）
２．０＜νｄｐ／νｄｎ＜４．０                  ・・・（８ａ）
０．２＜ＤＢｓｔｒ／Ｂ２ｓｔｒ＜０．６          ・・・（９ａ）
【００６３】
また、更に、好ましくは条件式（３ａ）乃至（９ａ）の数値範囲を次のようにするのがよい。
０．０８＜ＤＢｓｔｒ／ＴＬ＜０．１２            ・・・（３ｂ）
２．９＜ｆＤＢ／ｆｗ＜３．５                    ・・・（４ｂ）
６．０＜｜ｆ１／ｆ２｜＜６．５                  ・・・（５ｂ）
１．６＜（Ｎｄｎ−１）／（Ｎｄｐ−１）＜２．２  ・・・（６ｂ）
０．４＜Ｎｄｎ−Ｎｄｐ＜０．６                  ・・・（７ｂ）
２．３＜νｄｐ／νｄｎ＜３．５                  ・・・（８ｂ）
０．２５＜ＤＢｓｔｒ／Ｂ２ｓｔｒ＜０．５０      ・・・（９ｂ）
【００６４】
各実施例では以上のように各要素を構成することにより、小型で、広画角かつ高ズーム比であり、全ズーム範囲にわたり高い光学性能を有するズームレンズを得ている。また以上の条件式は任意に複数組み合わせることにより、さらに本発明の効果を高めることができる。
【００６５】
各実施例において好ましくは次の構成要件のうち少なくとも１つを満足するのが良い。回折光学素子Ｌｄｏｅを含むレンズ群ＬＤＢは、１枚の正レンズと１枚の負レンズとを接合した接合レンズを有し、接合レンズの接合面に、回折面ＤＯＥを配置するのが良い。このように回折面ＤＯＥを接合面に配置することで、回折面ＤＯＥが空気に触れる表面に出ない構成として、製造工程中の接触やズームレンズ内の異物等による回折面ＤＯＥの破損を防止することが容易となる。
【００６６】
更に、接合レンズの、正レンズの材料と負レンズの材料の色分散性の違いによる色収差の補正と、回折面ＤＯＥによる色収差の補正を効果的に利用することで、可視光から近赤外光までの波長領域に対する、色収差の補正が容易になる。開口絞りＳＰは、ズーミングに際して不動とする。このようにすることで、開口絞りＳＰに関連する装置全体を簡素化し、装置全体の小型化を図るのが容易となる。
【００６７】
尚、各実施例において開口絞りＳＰの開口径はズーミングに際して一定とすることも、変化させることもできる。開口絞りＳＰの開口径を変化させることで、望遠端において発生する軸外光束による下線コマフレアをカットすることができ、より良好な光学性能を得ることが容易になる。
【００６８】
広角端から望遠端へのズーミングに際し、第２レンズ群Ｌ２は像側へ移動し、回折光学素子Ｌｄｏｅを有し正の屈折力のレンズ群ＬＤＢは物体側へ移動するのが良い。このように移動することで、広角端より望遠端への変倍と、変倍に伴う像面変動の補正を同時におこなうことが容易となる。
【００６９】
第１レンズ群Ｌ１は、１枚の正レンズから構成するか、もしくは１枚の正レンズと１枚の負レンズを接合した接合レンズから構成するのが良い。第１レンズ群Ｌ１を、単一の要素構成とすることで、第１レンズ群Ｌ１のレンズ群の全長の短縮を図るとともに、第１レンズ群Ｌ１の最も物体側のレンズ面から、開口絞りＳＰまでの距離を短くすることができる。そして第１レンズ群Ｌ１の有効径の小径化を図るのが容易となる。
【００７０】
第２レンズ群Ｌ２は、物体側から像側へ順に配置された、負レンズ、負レンズ、正レンズより構成すること、または物体側から像側へ順に配置された、負レンズ、負レンズ、正レンズと負レンズを接合した接合レンズより構成するのが良い。物体側に２枚の負レンズを配置することで、広角端における全系の広画角化を図るとともに、ズーミングに際しての球面収差や像面湾曲の変動を好適に補正するのが容易となる。
【００７１】
回折光学素子Ｌｄｏｅを有するレンズ群ＬＤＢは、１つ以上の非球面形状のレンズ面を有するのが良い。このような構成とすることで、広角端の領域における球面収差や像面湾曲を好適するのが容易となる。
【００７２】
特に広角端の領域における球面収差の補正のためには、軸上マージナル光線の入射高さが高くなるレンズ群、すなわち、開口絞りＳＰより像側にある正の屈折力のレンズ群のうち、最も物体側にあるレンズ群に、非球面形状のレンズ面を用いると効果的である。
【００７３】
各実施例において、開口絞りＳＰより像側の後群ＬＲは、第３レンズ群Ｌ３のみから成る構成としている。後群ＬＲを単一のレンズ群の構成とすることで、開口絞りＳＰから撮像面までの距離を短くなるようにして、全系の小型化を図っている。尚、第３レンズ群Ｌ３の像側に屈折力のあるレンズ群を１つ以上設けても良い。
【００７４】
次に各実施例の各レンズ群のレンズ構成について説明する。各レンズ群のレンズ構成は特に断りがない限り、物体側から像側へ順に配置されているものとする。
【００７５】
［実施例１］
第１レンズ群Ｌ１は、両凸形状の正レンズと物体側が凹形状の負レンズとを接合した接合レンズより構成している。このレンズ構成により、第１レンズ群Ｌ１のレンズ構成要素を少なくして、全系を小型化している。第２レンズ群Ｌ２は、像側が凹形状の負レンズ、物体側が凹形状の負レンズ、両凸形状の正レンズと物体側が凹形状の負レンズとを接合した接合レンズより構成している。このレンズ構成により広角端における像面湾曲、ズーム全域における倍率色収差の補正を効果的に行っている。
【００７６】
第３レンズ群Ｌ３は、両凸形状で両面が非球面形状の正レンズ、物体側が凸形状の正レンズと像側が凹形状の負レンズとを接合した接合レンズ、両凸形状の正レンズより構成している。このレンズ構成により、第３レンズ群Ｌ３の全長はコンパクトでありながら、広角端における球面収差、非点収差、像面湾曲などの諸収差の発生を軽減している。
【００７７】
また、接合レンズに含まれる正レンズの材料はアッベ数の大きい低分散の材料とし、接合レンズに含まれる負レンズの材料はアッベ数の小さい高分散の材料とすることで、材料による色収差の補正を効果的におこなっている。さらに、第３レンズ群Ｌ３に含まれる接合レンズの接合レンズ面は、積層型の回折面ＤＯＥよりなっている。回折面ＤＯＥを有することで、特に広角端の領域における軸上色収差・倍率色収差を良好に補正している。材料による色収差の補正と、回折面ＤＯＥによる色収差の補正の両方を効果的に利用することで、全系の小型化を図りつつ良好な光学性能を得ている。
【００７８】
［実施例２乃至７］
第２レンズ群Ｌ２は、像側が凹形状の負レンズ、物体側が凹形状の負レンズ、物体側が凸形状の正レンズより構成している。このレンズ構成により広角端における像面湾曲、ズーム全域における倍率色収差の補正を効果的に行っている。第１レンズ群Ｌ１のレンズ構成と、第３レンズ群Ｌ３のレンズ構成は実施例１と同様の構成である。
【００７９】
［実施例８］
第３レンズ群Ｌ３は、両凸形状で両面が非球面形状の正レンズ、物体側が凸形状の正レンズと像側が凹形状の負レンズとを接合した接合レンズ、物体側が凸形状の負レンズと両凸形状の正レンズとを接合した接合レンズより構成している。このレンズ構成により、全系の小型化を図りつつ、広角端における球面収差、非点収差、像面湾曲などの諸収差の発生を軽減している。
【００８０】
さらに、第３レンズ群Ｌ３に含まれる、２つの接合レンズのうち、像側に配置された接合レンズ（回折光学素子Ｌｄｏｅ）の接合レンズ面は、積層型の回折面ＤＯＥよりなっている。回折面ＤＯＥを有することで、特に広角端の領域における軸上色収差・倍率色収差を良好に補正している。
【００８１】
材料による色収差の補正と、回折面ＤＯＥによる色収差の補正の両方を効果的に利用することで、全系の小型化を図りつつ、良好な光学性能を得ている。第１レンズ群Ｌ１のレンズ構成は実施例１乃至７と同様である。第２レンズ群Ｌ２のレンズ構成は実施例２乃至７と同様である。
【００８２】
次に本発明の実施例のズームレンズを撮像光学系として用いた撮像装置の実施例を図１７を用いて説明する。
【００８３】
図１７において、１０は監視カメラ本体、１１は実施例１乃至８で説明したいずれか１つのズームレンズによって構成された撮像光学系である。１２はカメラ本体に内蔵され、撮像光学系１１によって形成された被写体像を受光するＣＣＤセンサやＣＭＯＳセンサ等の撮像素子（光電変換素子）である。１３は撮像素子１２によって光電変換された被写体像に対応する情報を記録するメモリである。１４は撮像素子１２によって光電変換された被写体像を転送するためのネットワークケーブルである。
【００８４】
撮像装置としては監視カメラに限定されることはなく、ビデオカメラやデジタルカメラ等においても用いることができる。
【００８５】
本発明の撮像装置は、上記のいずれかのズームレンズとともに、歪曲収差と倍率色収差のどちらか、もしくは両方を電気的に補正する回路を有していても良い。このようにズームレンズの歪曲収差等を許容することができる構成にすれば、ズームレンズ全体のレンズ枚数を少なくでき、小型化が容易になる。また倍率色収差を電気的に補正することにより、撮影した画像の色にじみを軽減し、解像力の向上を図ることが容易になる。
【００８６】
以上、本発明の好ましい実施形態について説明したが、本発明はこれらの実施形態に限定されず、その要旨の範囲内で種々の変形及び変更が可能である。
【００８７】
次に本発明の実施例１乃至８にそれぞれ対応する数値データ１乃至８を示す。各数値データにおいて、ｉは物体側からの光学面の順序を示す。ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。レンズ全長は、最も物体側のレンズ面からレンズ最終面までの距離に、レンズ最終面から近軸像面までの距離の空気換算長（ＢＦ）を加えたものである。ＢＦ（バックフォーカス）はレンズ最終面から近軸像面までの距離を空気換算長により表したものである。＊は非球面を意味する。
【００８８】
ここで、本発明の各請求項や各実施例で用いている光学材料のアッベ数は次の通りである。フラウンフォーファ線のＦ線（４８６．１ｎｍ）、ｄ線（５８７．６ｎｍ）、Ｃ線（６５６．３ｎｍ）に対する屈折率をそれぞれｎＦ、ｎｄ、ｎＣとする。アッベ数νｄは、以下の式の通りに与えられる。
νｄ＝（ｎｄ−１）／（ｎＦ−ｎＣ）
【００８９】
またｋを離心率、Ａ４、Ａ６、Ａ８、Ａ１０、Ａ１２を非球面係数、面頂点を基準にして光軸からの高さｈの位置における光軸方向の変位をｘとするとき、非球面形状は、
ｘ＝（ｈ2／Ｒ）／［１＋｛１−（１＋ｋ）（ｈ／Ｒ）2｝1/2］＋Ａ４ｈ4＋Ａ６ｈ6＋Ａ８ｈ8＋Ａ１０ｈ10＋Ａ１２ｈ1２
で表される。但しＲは近軸曲率半径である。
【００９０】
面番号の横に（回折）を付した回折面の位相φは、ｍを回折光の回折次数、λ０を基準波長、Ｃｊ（ｊ＝１，２，３…）を各次数の位相係数とするとき、以下の式で表す。
【００９１】
φ（ｈ）＝（２π・ｍ／λ０）（Ｃ２ｈ2＋Ｃ４ｈ4＋Ｃ６ｈ6＋Ｃ８ｈ8＋…）
回折面のｄ線に関するアッべ数νｄｄｏｅは、ｄ線、Ｃ線、Ｆ線の波長を各々λｄ、λＣ、λＦとするとき、以下の式で表される。
νｄｄｏｅ＝λｄ／（λＦ−λＣ）
【００９２】
これよりアッベ数νｄｄｏｅは、−３．４５となる。回折面の分散特性は負の値をとっており、一般的な光学材料の分散特性とは逆の作用を有する。また、回折面ｄｏｅの焦点距離ｆｄｏｅは以下の式で表される。
【００９３】
ｆｄｏｅ＝−１／（２・Ｃ２）
さらに、任意の波長λにおける回折面の焦点距離ｆＤＯＥ（λ）は以下の式で表される。
【００９４】
ｆｄｏｅ＝−１／（２・Ｃ２）（λ０／λ）
各数値データにおける上述した条件式との対応を、実施データ１乃至４については表１に、数値データ５乃至８については表２に示す。
【００９５】
［数値データ１］
単位 mm
面データ
面番号       r        d      nd         νd
1         18.186    4.61   1.59522    67.7           
2        -77.379    0.70   1.89286    20.4           
3       -731.266  (可変)                             
4        124.665    0.40   2.00100    29.1           
5          4.423    2.53                             
6         -8.841    0.35   1.95375    32.3           
7        929.553    0.27                             
8         20.496    1.89   1.89286    20.4           
9         -9.908    0.35   1.59522    67.7           
10        -22.392  (可変)                             
11(絞り)    ∞     (可変)                             
12*         5.381    2.40   1.55332    71.7           
13*       -13.126    0.15                             
14          4.512    2.21   1.49700    81.5           
15(回折)   47.275    0.35   2.00100    29.1           
16          3.408    0.42                             
17          8.649    1.39   1.49700    81.5           
18         -8.426  (可変)                             
19          ∞       1.10   1.51633    64.1           
20          ∞       1.00                             
像面        ∞   
【００９６】
非球面データ
第12面
K = 0.00000e+000  A 4=-6.86648e-004  A 6= 7.19543e-007  A 8=-8.47426e-007  A10= 4.38507e-008  A12=-1.65401e-009  
第13面
K = 0.00000e+000  A 4= 7.33582e-004  
回折面データ
第15面(回折面)
C 2=-6.18517e-004  C 4= 2.92803e-005  
各種データ
ズーム比     5.25 
広角     中間     望遠
焦点距離       2.23     5.83    11.71  
Fナンバー      1.44     1.87     2.50  
半画角（度）  40.5     14.9      7.51  
像高           1.58     1.58     1.58  
レンズ全長    40.69    40.69    40.69  
BF             4.12     5.69     8.04  
d 3            0.82     9.02    12.01  
d10           12.56     4.36     1.37  
d11            5.17     3.60     1.26  
d18            2.40     3.96     6.31  
レンズ群データ
群  始面    焦点距離  
1    1      32.96  
2    4      -5.13  
3   12       6.94  
【００９７】
［数値データ２］
単位 mm
面データ
面番号       r        d      nd         νd
1         21.008    3.78   1.77250    49.6           
2        -52.042    0.70   1.95906    17.5           
3       -635.418  (可変)                             
4        -95.259    0.40   2.00100    29.1           
5          4.454    2.10                             
6         -7.763    0.35   1.91082    35.3           
7         71.706    0.43                             
8         22.761    1.37   1.95906    17.5           
9        -13.244  (可変)                             
10(絞り)    ∞     (可変)                             
11*         4.551    2.59   1.55332    71.7           
12*       -13.834    0.15                             
13          5.004    1.65   1.49700    81.5           
14(回折)   16.987    0.35   2.00100    29.1           
15          3.160    0.32                             
16          4.924    1.62   1.49700    81.5           
17        -15.527  (可変)                             
18          ∞       1.10   1.51633    64.1           
19          ∞       1.00                             
像面        ∞   
【００９８】
非球面データ
第11面
K = 0.00000e+000  A 4=-1.18961e-003  A 6=-1.10731e-005  A 8=-2.39667e-006  A10= 1.34744e-007  A12=-8.35487e-009  
第12面
K = 0.00000e+000  A 4= 7.89039e-004  
回折面データ
第14面(回折面)
C 2=-5.08459e-004  C 4=-5.16351e-005  
各種データ
ズーム比     5.20 
広角     中間     望遠
焦点距離       2.23     5.98    11.59  
Fナンバー      1.44     1.89     2.57  
半画角（度）  41.0     14.5      7.61  
像高           1.58     1.58     1.58  
レンズ全長    37.07    37.07    37.07  
BF             4.26     5.98     8.57  
d 3            0.89     8.11    10.17  
d 9           10.52     3.30     1.24  
d10            5.58     3.85     1.27  
d17            2.53     4.26     6.85  
レンズ群データ
群  始面    焦点距離  
1    1      28.70  
2    4      -4.72  
3   11       6.68  
【００９９】
［数値データ３］
単位 mm
面データ
面番号       r        d      nd         νd
1         24.230    3.42   1.76385    48.5           
2        -62.830    0.70   1.95906    17.5           
3      -1749.863  (可変)                             
4        247.797    0.40   2.00100    29.1           
5          4.915    2.52                             
6         -9.553    0.35   1.80400    46.6           
7         46.703    0.36                             
8         19.309    1.47   1.95906    17.5           
9        -20.338  (可変)                             
10(絞り)    ∞     (可変)                             
11*         5.283    2.44   1.49710    81.6           
12*       -11.244    0.15                             
13          4.526    1.96   1.59522    67.7           
14(回折)   15.646    0.35   2.00100    29.1           
15          3.266    0.71                             
16          9.501    1.32   1.49700    81.5           
17        -10.040  (可変)                             
18          ∞       1.10   1.51633    64.1           
19          ∞       1.00                             
像面        ∞   
【０１００】
非球面データ
第11面
K = 0.00000e+000  A 4=-1.04142e-003  A 6= 1.39364e-005  A 8=-6.41118e-006  A10= 2.93104e-007  A12=-2.21045e-008  
第12面
K = 0.00000e+000  A 4= 5.53420e-004  A 6= 9.67641e-006  A 8=-5.36884e-006  
回折面データ
第14面(回折面)
C 2=-8.63973e-004  C 4=-5.72523e-005  C 6= 1.37082e-005  
各種データ
ズーム比     5.08 
広角     中間     望遠
焦点距離       2.27     5.73    11.50 
Fナンバー      1.44     1.84     2.44 
半画角（度）  40.0     15.1      7.65 
像高           1.58     1.58     1.58 
レンズ全長    39.66    39.66    39.66 
BF             4.25     5.74     7.98 
d 3            0.82     9.35    12.72 
d 9           13.46     4.93     1.55 
d10            4.99     3.50     1.27 
d17            2.53     4.02     6.25 
レンズ群データ
群  始面    焦点距離  
1    1      34.34  
2    4      -5.57  
3   11       7.03  
【０１０１】
［数値データ４］
単位 mm
面データ
面番号       r        d      nd         νd
1         25.205    3.34   1.76385    48.5           
2        -65.632    0.70   1.95906    17.5           
3      -1453.247  (可変)                             
4        305.268    0.40   2.00100    29.1           
5          5.014    2.59                             
6         -9.400    0.35   1.83481    42.7           
7         85.303    0.31                             
8         21.305    1.51   1.95906    17.5           
9        -18.655  (可変)                             
10(絞り)    ∞     (可変)                             
11*         5.243    2.34   1.55332    71.7           
12*       -13.486    0.15                             
13          4.459    1.69   1.59522    67.7           
14(回折)    8.701    0.35   2.00069    25.5           
15          3.086    0.89                             
16         11.516    1.18   1.49700    81.5           
17        -11.541  (可変)                             
18          ∞       1.10   1.51633    64.1           
19          ∞       1.00                             
像面        ∞   
【０１０２】
非球面データ
第11面
K = 0.00000e+000  A 4=-1.02570e-003  A 6= 8.66279e-007  A 8=-4.98638e-006  A10= 1.94526e-007  A12=-2.00424e-008  
第12面
K = 0.00000e+000  A 4= 4.64868e-004  A 6= 2.21700e-006  A 8=-5.08677e-006  
回折面データ
第14面(回折面)
C 2=-9.84238e-004  C 4=-5.33994e-005  C 6= 8.98406e-006  
各種データ
ズーム比     5.08 
広角     中間     望遠
焦点距離       2.27     5.71    11.50  
Fナンバー      1.44     1.84     2.42  
半画角（度）  40.1     15.2      7.65  
像高           1.58     1.58     1.58  
レンズ全長    39.66    39.66    39.66  
BF             4.23     5.67     7.83  
d 3            0.82     9.65    13.25  
d 9           13.95     5.12     1.52  
d10            4.87     3.43     1.27  
d17            2.50     3.94     6.10  
レンズ群データ
群  始面    焦点距離  
1    1      35.56  
2    4      -5.78  
3   11       7.01  
【０１０３】
［数値データ５］
単位 mm
面データ
面番号       r        d      nd         νd
1         24.750    3.50   1.76385    48.5           
2        -54.514    0.70   1.95906    17.5           
3       -463.906  (可変)                             
4       -530.294    0.40   1.95375    32.3           
5          4.865    2.46                             
6         -9.974    0.35   1.83481    42.7           
7         45.997    0.38                             
8         18.566    1.40   1.95906    17.5           
9        -22.823  (可変)                             
10(絞り)    ∞     (可変)                             
11*         5.495    2.34   1.55332    71.7           
12*       -12.801    0.15                             
13          4.510    1.75   1.48749    70.2           
14(回折)   10.412    0.35   2.05090    26.9           
15          3.509    0.79                             
16         11.658    1.36   1.49700    81.5           
17         -8.927  (可変)                             
18          ∞       1.10   1.51633    64.1           
19          ∞       1.00                             
像面        ∞   
【０１０４】
非球面データ
第11面
K = 0.00000e+000  A 4=-9.55374e-004  A 6= 1.48876e-005  A 8=-5.75739e-006  A10= 2.61039e-007  A12=-1.82681e-008  
第12面
K = 0.00000e+000  A 4= 5.36895e-004  A 6= 7.29524e-006  A 8=-4.67266e-006  
回折面データ
第14面(回折面)
C 2=-9.94797e-004  C 4=-4.52318e-005  C 6= 7.89399e-006  
各種データ
ズーム比     5.08 
広角     中間     望遠
焦点距離       2.27     5.82    11.50  
Fナンバー      1.44     1.85     2.46  
半画角（度）  40.4     14.9      7.67  
像高           1.58     1.58     1.58  
レンズ全長    39.66    39.66    39.66  
BF             4.57     6.20     8.64  
d 3            0.82     9.25    12.24  
d 9           13.02     4.59     1.59  
d10            5.34     3.71     1.27  
d17            2.84     4.47     6.91  
レンズ群データ
群  始面    焦点距離  
1    1      33.99  
2    4      -5.40  
3   11       7.14  
【０１０５】
［数値データ６］
単位 mm
面データ
面番号       r        d      nd         νd
1         24.452    3.53   1.76385    48.5           
2        -56.938    0.70   1.95906    17.5           
3       -683.912  (可変)                             
4       1822.982    0.40   1.95375    32.3           
5          4.854    2.48                             
6        -10.434    0.35   1.83481    42.7           
7         37.871    0.37                             
8         17.598    1.41   1.95906    17.5           
9        -24.199  (可変)                             
10(絞り)    ∞     (可変)                             
11*         5.472    2.35   1.55332    71.7           
12*       -12.111    0.15                             
13          4.461    1.69   1.49700    81.5           
14(回折)    9.590    0.35   2.05090    26.9           
15          3.458    0.87                             
16         14.926    1.29   1.49700    81.5           
17         -8.461  (可変)                             
18          ∞       1.10   1.51633    64.1           
19          ∞       1.00                             
像面        ∞   
【０１０６】
非球面データ
第11面
K = 0.00000e+000  A 4=-9.49081e-004  A 6= 1.25784e-005  A 8=-5.44164e-006  A10= 2.38445e-007  A12=-1.72530e-008  
第12面
K = 0.00000e+000  A 4= 6.80087e-004  A 6= 5.55247e-007  A 8=-4.35418e-006  
回折面データ
第14面(回折面)
C 2=-8.89691e-004  C 4=-9.11147e-005  C 6= 1.32024e-005  
各種データ
ズーム比     5.08 
広角     中間     望遠
焦点距離       2.27     5.79    11.50  
Fナンバー      1.44     1.84     2.44  
半画角（度）  40.2     15.0      7.66  
像高           1.58     1.58     1.58  
レンズ全長    39.66    39.66    39.66  
BF             4.49     6.07     8.43  
d 3            0.82     9.27    12.41  
d 9           13.21     4.76     1.61  
d10            5.20     3.63     1.27  
d17            2.77     4.34     6.70  
レンズ群データ
群  始面    焦点距離  
1    1      34.10  
2    4      -5.44  
3   11       7.11  
【０１０７】
［数値データ７］
単位 mm
面データ
面番号       r        d      nd         νd
1         23.563    3.57   1.76385    48.5           
2        -51.262    0.70   1.95906    17.5           
3       -505.171  (可変)                             
4       -505.391    0.40   1.95375    32.3           
5          4.781    2.31                             
6        -10.432    0.35   1.83481    42.7           
7         26.324    0.44                             
8         16.449    1.37   1.95906    17.5           
9        -24.638  (可変)                             
10(絞り)    ∞     (可変)                             
11*         5.420    2.38   1.58313    59.4           
12*       -14.184    0.15                             
13          5.268    1.70   1.49700    81.5           
14(回折)   17.845    0.35   2.05090    26.9           
15          3.862    0.77                             
16          9.832    1.55   1.49700    81.5           
17         -8.104  (可変)                             
18          ∞       1.10   1.51633    64.1           
19          ∞       1.00                             
像面        ∞   
【０１０８】
非球面データ
第11面
K = 0.00000e+000  A 4=-9.11285e-004  A 6= 1.90393e-005  A 8=-5.73339e-006  A10= 3.02011e-007  A12=-1.79034e-008  
第12面
K = 0.00000e+000  A 4= 5.79455e-004  A 6= 1.09035e-005  A 8=-4.21564e-006  
回折面データ
第14面(回折面)
C 2=-8.85151e-004  C 4=-6.70473e-005  C 6= 9.29091e-006  
各種データ
ズーム比     5.08 
広角     中間     望遠
焦点距離       2.27     5.92    11.50  
Fナンバー      1.44     1.86     2.49  
半画角（度）  40.3     14.7      7.69  
像高           1.58     1.58     1.58  
レンズ全長    39.69    39.69    39.69  
BF             4.83     6.62     9.30  
d 3            0.82     8.93    11.45  
d 9           12.26     4.14     1.62  
d10            5.75     3.96     1.27  
d17            3.10     4.89     7.58  
レンズ群データ
群  始面    焦点距離  
1    1      32.66  
2    4      -5.11  
3   11       7.27  
【０１０９】
［数値データ８］
単位 mm
面データ
面番号       r        d      nd         νd
1         22.466    3.52   1.76385    48.5           
2        -53.359    0.70   1.95906    17.5           
3       -556.695  (可変)                             
4       -116.422    0.40   2.05090    26.9           
5          4.839    2.20                             
6         -8.087    0.35   1.83481    42.7           
7         62.440    0.41                             
8         22.430    1.76   1.95906    17.5           
9        -14.933  (可変)                             
10(絞り)    ∞     (可変)                             
11*         5.789    2.39   1.55332    71.7           
12*       -12.496    0.15                             
13          4.883    1.78   1.49700    81.5           
14         13.067    0.35   1.91082    35.3           
15          3.996    0.45                             
16          6.756    0.35   1.90366    31.3           
17(回折)    3.370    2.44   1.49700    81.5           
18         -9.860  (可変)                             
19          ∞       1.10   1.51633    64.1           
20          ∞       1.00                             
像面        ∞   
【０１１０】
非球面データ
第11面
K = 0.00000e+000  A 4=-8.78967e-004  A 6= 3.02406e-006  A 8=-3.23048e-006  A10= 7.57045e-008  A12=-8.69388e-009  
第12面
K = 0.00000e+000  A 4= 3.77997e-004  A 6= 5.05037e-006  A 8=-3.53988e-006  
回折面データ
第17面(回折面)
C 2=-6.35746e-004  C 4=-8.40985e-005  
各種データ
ズーム比     5.08 
広角     中間     望遠
焦点距離       2.27     5.85    11.50  
Fナンバー      1.44     1.87     2.50  
半画角（度）  40.7     14.8      7.66  
像高           1.58     1.58     1.58  
レンズ全長    39.74    39.74    39.74  
BF             4.14     5.84     8.39  
d 3            0.88     8.73    11.41  
d 9           11.94     4.10     1.42  
d10            5.52     3.82     1.28  
d18            2.41     4.11     6.66  
レンズ群データ
群  始面    焦点距離  
1    1      31.08  
2    4      -5.06  
3   11       7.23  
【０１１１】
【表１】
2019086607.tif 000003
【０１１２】
【表２】
2019086607.tif 000004
【符号の説明】
【０１１３】
Ｌ１：第１レンズ群        Ｌ２：第２レンズ群        Ｌ３：第３レンズ群
ＳＰ：開口絞り        ＧＢ：ガラスブロック        ＩＰ：像面
【図１】
2019086607.tif 000005
【図２】
2019086607.tif 000006
【図３】
2019086607.tif 000007
【図４】
2019086607.tif 000008
【図５】
2019086607.tif 000009
【図６】
2019086607.tif 000010
【図７】
2019086607.tif 000011
【図８】
2019086607.tif 000012
【図９】
2019086607.tif 000013
【図１０】
2019086607.tif 000014
【図１１】
2019086607.tif 000015
【図１２】
2019086607.tif 000016
【図１３】
2019086607.tif 000017
【図１４】
2019086607.tif 000018
【図１５】
2019086607.tif 000019
【図１６】
2019086607.tif 000020
【図１７】
2019086607.tif 000021